(57)【要約】【課題】ウェットティッシュに触れることを最小限に抑え、哺乳瓶の乳首部の表面に付いた汚れ等を払拭させる。【解決手段】ウェットティッシュ２を収納する容器本体３と、容器本体３に形成され、哺乳瓶４の乳首部５が挿入される乳首挿入部６と、乳首挿入部６の底部に形成され、容器本体３に収納されたウェットティッシュ２の一部を露出させる引出口７と、乳首挿入部６を開閉する蓋体８とを備え、引出口７から哺乳瓶４の乳首部５を覆うことができる程度にウェットティッシュ２を引き出した後、乳首挿入部６に哺乳瓶４の乳首部５を挿入し、乳首挿入部６内で哺乳瓶４の乳首部５を乳首挿入部６内のウェットティッシュ２に対して摺動させ、ウェットティッシュ２に触れることを最小限に抑えて、ウェットティッシュ２によって哺乳瓶４の乳首部５の表面に付いた汚れを払拭することができる。【選択図】図２
2008074427.tif 000002
【特許請求の範囲】
【請求項１】
ウェットティッシュを収納する容器本体と、
上記容器本体に形成され、哺乳瓶の乳首部が挿入される凹状の乳首挿入部と、
上記乳首挿入部の底部に形成され、上記容器本体に収納された上記ウェットティッシュの一部を露出させる引出口と、
上記乳首挿入部を開閉する蓋体とを備え、
上記引出口から上記哺乳瓶の乳首部を覆うことができる程度に上記ウェットティッシュを引き出した後、上記乳首挿入部に上記哺乳瓶の乳首部を挿入し、上記乳首挿入部内で上記哺乳瓶の乳首部を上記乳首挿入部内の上記ウェットティッシュに対して摺動させ、上記ウェットティッシュによって上記哺乳瓶の乳首部の表面に付いた汚れを払拭させることを特徴とする収納容器。
【請求項２】
上記哺乳瓶の乳首部は、乳首胴部と、この乳首胴部と連続した乳頭部とからなり、
上記乳首挿入部は、上記乳首胴部に対応して形成された胴部挿入部と、上記乳頭部に対応して形成された乳頭挿入部とを有することを特徴とする請求項１記載の収納容器。
【請求項３】
上記哺乳瓶の乳首部は、乳首胴部と、この乳首胴部と連続した乳頭部とからなり、
上記乳首挿入部は、上記乳頭部に対応して形成された乳頭挿入部からなることを特徴とする請求項１記載の収納容器。
【請求項４】
上記乳首挿入部には、上記乳頭挿入部と連続し、上記ウェットティッシュを引き出す使用者の指が挿入される凹状の指挿入部が形成されていることを特徴とする請求項２又は請求項３記載の収納容器。
【発明の詳細な説明】
【技術分野】
【０００１】
本発明は、収納したウェットティッシュで哺乳瓶の乳首部の表面に付いた汚れを払拭させる収納容器に関する。
【背景技術】
【０００２】
ウェットティッシュは、例えば、日常生活品や手足等の身体に付いた汚れ等を払拭させる場合に多く用いられている。
【０００３】
ウェットティッシュを収納するものとしては、特許文献１のような収納容器がある。特許文献１の収納容器には、シート体の長手方向に所定の間隔でミシン目が形成されたウェットティッシュのロール体が収納され、収納容器の上面部に、ウェットティッシュを引き出し、かつ、切り離す引出口が形成されている。特許文献１の収納容器は、収納されているウェットティッシュを引出口から略上方に引き出すとき、引き出されたウェットティッシュが引出口を通過する際に、引出口にウェットティッシュが係合され、係合された状態でさらにウェットティッシュを略上方に引き出すことで、ウェットティッシュに形成されたミシン目の位置でウェットティッシュを切り離すことができ、片手でも収納容器からウェットティッシュを引き出すことができる。
【０００４】
ここで、ウェットティッシュは、例えば、日常生活品や手足等の身体に付いた汚れ等を払拭させる他に、衛生管理に注意が必要である乳幼児の身回品、例えば、哺乳瓶の乳首部の表面に付いた汚れ等を払拭させるときにも用いられることがある。
【０００５】
しかしながら、特許文献１の収納容器は、片手でもウェットティッシュを収納容器から引き出すことはできるが、哺乳瓶の乳首部の表面に付いた汚れ等を払拭させる場合、ウェットティッシュを引き出した後、一方の手に哺乳瓶を持ち、他方の手に引き出したウェットティッシュを持って哺乳瓶の乳首部の表面に付いた汚れ等を払拭させる必要がある。また、特許文献１の収納容器では、哺乳瓶の乳首部の表面に付いた汚れ等を払拭させるために両手を用いらなくてはならないため、乳幼児を抱える等、乳幼児の世話を行っている際に哺乳瓶の乳首部の表面に付いた汚れ等を払拭させることは難しい。更に、衛生管理に注意が必要な乳幼児の哺乳瓶の乳首部の表面に付いた汚れ等を払拭させるときには、衛生上、ウェットティッシュに触れることを最小限に抑えることが好ましい。
【０００６】
【特許文献１】特開平０８−１０４３７７号公報
【発明の開示】
【発明が解決しようとする課題】
【０００７】
本発明では、このような従来の事情に鑑みて提案されたものであり、ウェットティッシュに触れることを最小限に抑え、容易に哺乳瓶の乳首部の表面に付いた汚れ等を払拭させる収納容器を提供することを目的とする。
【課題を解決するための手段】
【０００８】
上述した目的を達成するために本発明に係る収納容器は、ウェットティッシュを収納する容器本体と、上記容器本体に形成され、哺乳瓶の乳首部が挿入される凹状の乳首挿入部と、上記乳首挿入部の底部に形成され、上記容器本体に収納された上記ウェットティッシュの一部を露出させる引出口と、上記乳首挿入部を開閉する蓋体とを備える。
【０００９】
そして、本発明に係る収納容器は、上記引出口から上記哺乳瓶の乳首部を覆うことができる程度に上記ウェットティッシュを引き出した後、上記乳首挿入部に上記哺乳瓶の乳首部を挿入し、上記乳首挿入部内で上記哺乳瓶の乳首部を上記乳首挿入部内の上記ウェットティッシュに対して摺動させ、上記ウェットティッシュによって上記哺乳瓶の乳首部の表面に付いた汚れを払拭させる。
【発明の効果】
【００１０】
本発明に係る収納容器によれば、乳首挿入部に哺乳瓶の乳首部を挿入させ、乳首挿入部内で哺乳瓶の乳首部を乳首挿入部内のウェットティッシュに対して摺動させることで、ウェットティッシュに触れることを最小限に抑えて、ウェットティッシュによって哺乳瓶の乳首部の表面に付いた汚れを払拭することができる。
【発明を実施するための最良の形態】
【００１１】
以下、本発明が適用された収納容器１について、図面を参照して説明する。
【００１２】
本発明が適用された収納容器１は、図１に示すように、ウェットティッシュ２を収納する容器本体３と、この容器本体３に形成され、図示しない哺乳瓶４の先端部に設けられた哺乳瓶４の乳首部５が挿入される乳首挿入部６と、この乳首挿入部６の底部に形成され、容器本体３に収納されたウェットティッシュ２の一部を露出させる引出口７と、乳首挿入部６を開閉する蓋体８とを備える。
【００１３】
ウェットティッシュ２を収納する容器本体３は、図１に示すように、中空部を有する略円柱形状であり、ポリプロピレン（ＰＰ）、ポリエチレン（ＰＥ）、ポリ塩化ビニル（ＰＶＣ）等の機械的剛性を有する熱可塑性樹脂を用いて射出成形等により成型されている。
【００１４】
容器本体３は、ウェットティッシュ２を収納する収納部材９と、この収納部材９の上面部に設けられた上蓋部材１０とからなる。
【００１５】
ウェットティッシュ２を収納する収納部材９は、図２に示すように、上面部全体に開口部１１が形成され、この開口部１１に連続してウェットティッシュ２のロール体を収納する収納部１２が形成されている。
【００１６】
収納部材９の上面部に取り付けられた上蓋部材１０には、図１に示すように、上面部の略中央に、乳首挿入部６を開閉する蓋体８が収納される凹部１３が形成されている。この凹部１３は、平面視略円形状であり、略中央に第１の環状壁部１４が形成されている。この第１の環状壁部１４の内側には、哺乳瓶４の乳首部５が挿入される乳首挿入部６が形成されている。
【００１７】
なお、容器本体３は、全体が略円筒形状に限定されるものではなく、ウェットティッシュ２が収納できれば如何なる形状でもよく、例えば、平面視略方形の箱形状等に設けてもよい。また、容器本体３の上面部には、引き出されたウェットティッシュ２を係止させる係止突部を設けてもよい。
【００１８】
ここで、容器本体３に収納されるウェットティッシュ２のロール体は、紙や不織布等の基布に使用目的に応じて、水、アルコール、除菌剤、防腐剤及び香料等の液体を含浸させたものであり、ウェットティッシュ２の長手方向に、図示はしないが、日常生活品や手足等の身体に付いた汚れ等を払拭させる１回の使用分に対応した従来より用いられている間隔でミシン目が形成されている。
【００１９】
ところで、哺乳瓶４の先端に設けられた哺乳瓶４の乳首部５は、図２に示すように、乳首胴部１５と、この乳首胴部１５と連続して乳首胴部１５より小径の乳頭部１６とからなる。
【００２０】
乳首挿入部６は、乳幼児が哺乳瓶４の乳首部５をくわえたとき、哺乳瓶４の乳首部５の主に唇があたる箇所である乳首胴部１５の表面に付いた汚れ及び乳幼児の口の中に入る箇所である乳頭部１６の表面に付いた汚れとを払拭させるように、図２に示すように、哺乳瓶４の乳首部５に対応させ、哺乳瓶４の乳首部５が略全て挿入される凹状に形成されている。具体的に、乳首挿入部６は、挿入される哺乳瓶４の乳首部５の乳首胴部１５に対応させた曲面を有する凹状に形成された胴部挿入部１７と、この胴部挿入部１７の底部に、哺乳瓶４の乳首部５の乳頭部１６に対応させた曲面を有し胴部挿入部１７と連続する凹状に形成された乳頭挿入部１８とからなる。乳頭挿入部１８の底部には、容器本体３に収納されたウェットティッシュ２の一部を露出させる引出口７が形成されている。
【００２１】
乳首挿入部６の乳頭挿入部１８の底部に形成された引出口７は、図３に示すように、平面視略円形状であり、容器本体３に収納されたウェットティッシュ２が引き出せる程度の大きさを有している。引出口７の周囲には、容器本体３に収納されたウェットティッシュ２を引き出し、ウェットティッシュ２が引出口７を通過する際に、引き出されたウェットティッシュ２が係合され、ウェットティッシュ２がミシン目の位置で切り離しやすくなるように、平面視略十字形状に形成された切り込み１９と、これら隣接する切り込み１９によって形成された弾性係合片２０とが設けられている。
【００２２】
なお、引出口７の周囲の切り込み１９の形状及び本数は、略十字形状に限定されるものでなく、４本に限定されるものでもなく、切り込み１９によってウェットティッシュ２と係合する弾性係合片２０が形成され、ウェットティッシュ２がミシン目の位置で切り離しやすくなるようなものであれば、如何なる形状及び本数でもよい。また、引出口７の周囲には、切り込み１９及びこれら隣接する切り込み１９によって形成された弾性係合片２０とが設けられることに限定されず、引出口７だけでもよい。このとき、引出口７は、ウェットティッシュ２を引き出し、ウェットティッシュ２が引出口７を通過する際に、引出口７の周面にウェットティッシュ２が圧接され、ウェットティッシュ２がミシン目の位置で切り離せるような小径に形成されていればよい。
【００２３】
乳首挿入部６を開閉する蓋体８は、図１に示すように、薄板形状であり、上蓋部材１０の上面部に回動支持部２１によって回動可能に設けられている。蓋体８及び回動支持部２１は、容器本体３の上蓋部材１０と同様のポリプロピレン（ＰＰ）、ポリエチレン（ＰＥ）、ポリ塩化ビニル（ＰＶＣ）等の機械的剛性を有する熱可塑性樹脂を用いて射出成形等により容器本体３の上蓋部材１０と一連一体に成型し、薄肉に形成されている。蓋体８は、乳首挿入部６を閉塞したとき、図示はしないが、上蓋部材１０の上面部に形成された凹部１３との間に間隙を有して収納される。
【００２４】
蓋体８には、自由端側に指掛部２２が形成されている。蓋体８が乳首挿入部６を閉塞するときに指掛部２２が臨む上蓋部材１０の上面部には、指掛用凹部２３が形成されている。指掛用凹部２３は、指掛部２２と間隙を有して収納できるような幅で、上蓋部材１０に設けられた回動支持部２１の自由端側の外周壁と凹部１３とを連結させ、蓋体８の指掛部２２の裏面と指掛用凹部２３との間に指を引っ掛けて蓋体８を回動させて乳首挿入部６を開放できるような深さに形成されている。
【００２５】
蓋体８が乳首挿入部６を閉塞するときに蓋体８の回動支持部２１が臨む上蓋部材１０の上面部には、回動支持部用凹部２４が形成されている。回動支持部用凹部２４は、回動支持部２１と間隙を有して収納できるような幅で、上蓋部材１０に設けられた回動支持部２１側の外周壁と凹部１３とを連結させ、蓋体８の回動支持部２１が上蓋部材１０の上面部からはみ出さないような深さに形成されている。
【００２６】
蓋体８には、乳首挿入部６に臨む裏面に第２の環状壁部２５が形成されている。第２の環状壁部２５は、蓋体８が乳首挿入部６を閉塞したとき、容器本体３の乳首挿入部６の周囲に形成された第１の環状壁部１４の外周面と嵌合する。蓋体８が乳首挿入部６を閉塞したときは、容器本体３の第１の環状壁部１４の外周面と蓋体８の第２の環状壁部２５の内周面とで嵌合することで、容器本体３内を密閉することができ、容器本体３に収納されたウェットティッシュ２に含浸された液体が揮発することを防ぐ。
【００２７】
なお、回動支持部２１は、上蓋部材１０と一連一体に成型するものに限定されるものでなく、回動軸を用いて回動可能に支持するように設けてもよい。また、第１の環状壁部１４及び第２の環状壁部２５は、第１の環状壁部１４の内周面と第２の環状壁部２５の外周面とで嵌合されるように形成してもよい。
【００２８】
次に、以上のように構成された収納容器１の使用方法について説明する。
【００２９】
先ず、哺乳瓶４の乳首部５の表面に付いた汚れを払拭する場合には、上蓋部材１０の上面部に形成された指掛用凹部２３と蓋体８に形成された指掛部２２の裏面との間に指を入れる等して、上蓋部材１０の第１の環状壁部１４と蓋体８の第２の環状壁部２５との嵌合状態を外し、蓋体８を回動させて乳首挿入部６を開放する。このとき、ウェットティッシュ２の露出部２ａは、図２の実線で示すように、乳首挿入部６内において、引出口７から指で掴める程度に僅かに露出し、引出口７の周囲の弾性係合片２０に係合されている。
【００３０】
次に、乳首挿入部６内において、引出口７から僅かに露出し、引出口７の周囲の弾性係合片２０に係合されているウェットティッシュ２の露出部２ａは、露出部２ａが掴まれ、図２の２点鎖線で示すように、乳首挿入部６より外に引き出され、哺乳瓶４の乳首部５を覆うことができる程度まで引き出される。そして、乳首挿入部６は、哺乳瓶４の乳首部５が略全て挿入される。このとき、乳首挿入部６は、哺乳瓶４の乳首部５とウェットティッシュ２を介して接触される。具体的に、哺乳瓶４の乳首部５の乳首胴部１５に対応して形成された胴部挿入部１７は、哺乳瓶４の乳首部５の乳首胴部１５とウェットティッシュ２を介して接触され、哺乳瓶４の乳首部５の乳頭部１６に対応して形成された乳頭挿入部１８は、哺乳瓶４の乳首部５の乳頭部１６とウェットティッシュ２を介して接触される。
【００３１】
そして、乳首挿入部６内では、哺乳瓶４の乳首部５を乳首挿入部６内のウェットティッシュ２に対して、図２中の矢印ｂ１方向及びｂ２方向のように、回転摺動させたり、図２中の矢印ｃ１方向及びｃ２方向のように、哺乳瓶４の乳首部５の挿入方向に対して、哺乳瓶４の乳首部５を乳首挿入部６内のウェットティッシュ２に対して抜き差しするように直線摺動させたり、さらに、これら回転摺動及び直線摺動とを同時に行う。これにより、哺乳瓶４の乳首部５は、ウェットティッシュ２によって表面に付いた汚れ等が払拭される。
【００３２】
そして、表面に付いた汚れ等が払拭された哺乳瓶４の乳首部５は、乳首挿入部６から抜かれる。
【００３３】
次に、哺乳瓶４の乳首部５の表面に付いた汚れを払拭し、引出口７の周囲に設けられた弾性係合片２０に係合されているウェットティッシュ２は、ウェットティッシュ２に形成されたミシン目が引出口７の近傍に設けられるまでウェットティッシュ２が引き出される。そして、ミシン目が引出口７の近傍に設けられたウェットティッシュ２は、弾性係合片２０に係合された状態でさらに略上方に引き出されることで、ウェットティッシュ２に形成されたミシン目の位置で容易に切り離される。このとき、ウェットティッシュ２の露出部２ａは、図２の実線で示すように、乳首挿入部６内において指で掴める程度に引出口７から僅かに露出された状態で引出口７の周囲の弾性係合片２０に係合される。
【００３４】
次に、使用後、ウェットティッシュ２を引き出した後に保管するときは、蓋体８で乳首挿入部６を閉塞しておく。これにより、上蓋部材１０と蓋体８は、上蓋部材１０の第１の環状壁部１４の外周面と蓋体８の第２の環状壁部２５の内周面とで嵌合され、容器本体３内を密閉することができ、容器本体３に収納されたウェットティッシュ２に含浸された液体が揮発するのを防ぐ。
【００３５】
以上のように構成された収納容器１は、ウェットティッシュ２を引き出してから、哺乳瓶４の乳首部５の表面に付いた汚れを払拭させ、ウェットティッシュ２を切り離すまで、ウェットティッシュ２の一端であり僅かしか露出されていない露出部２ａしか触れておらず、ウェットティッシュ２に触れることを最小限に抑えて、ウェットティッシュ２によって哺乳瓶４の乳首部５の表面に付いた汚れを払拭させることができる。
【００３６】
また、収納容器１は、収納容器１からウェットティッシュ２を容易に引き出すことができ、乳首挿入部６に哺乳瓶４の乳首部５を挿入させ、乳首挿入部６内で哺乳瓶４の乳首部５を乳首挿入部６内のウェットティッシュ２に対して容易に摺動させることができ、収納容器１からウェットティッシュ２を容易に切り離すことができるので、両手を用いらなくとも片手でも容易に、ウェットティッシュ２によって哺乳瓶４の乳首部５の表面に付いた汚れを払拭することができる。
【００３７】
なお、収納容器１は、乳首挿入部６が、乳幼児が哺乳瓶４の乳首部５をくわえたとき、哺乳瓶４の乳首部５の乳幼児の口の中に入る箇所である乳頭部１６及び唇があたる箇所程度までの乳首胴部１５の表面に付いた汚れが払拭されるように対応させて形成されていればよく、哺乳瓶４の乳首部５の乳首胴部１５の略全てが挿入されるように形成されることに限定されない。
【００３８】
また、収納容器１は、図４に示すように、乳首挿入部６が、乳幼児の口の中に入る乳頭部１６のみに対応させて形成された乳頭挿入部１８からなるようにしてもよい。
【００３９】
なお、乳首挿入部６には、哺乳瓶４の乳首部５の乳頭部１６が小径であり、この乳頭部１６に対応して形成された凹状の乳頭挿入部１８も小径であるため、この乳頭挿入部１８の底部に形成された引出口７からウェットティッシュ２をより掴み易くするため、図５及び図６に示すように、乳頭挿入部１８と連続し、乳頭挿入部１８を挟んで相対し、使用者の指が挿入される凹状の指挿入部２６を形成してもよい。また、指挿入部２６は、乳頭挿入部１８を挟んで相対して形成されることに限定されず、乳首挿入部の周囲に少なくとも１箇所形成されていればよく、如何なる数及び配置位置でもよい。
【００４０】
なお、収納容器１は、ウェットティッシュ２のロール体が収納されることに限定されず、多数枚程度積層された状態又は折り畳まれた状態のウェットティッシュ２や多数枚程度積層された状態又は折り畳まれた状態で気密性のあるフィルム状の包装体に収納されたウェットティッシュ２が収納されてもよい。また、このようなウェットティッシュ２が収納される容器本体３は、多数枚程度積層された状態又は折り畳まれた状態のウェットティッシュ２が収納できれば如何なる形状でもよく、例えば、全体が平面視略方形の箱形状に設けてもよい。
【００４１】
なお、収納容器１は、ウェットティッシュ２の長手方向に、日常生活品や手足等の身体に付いた汚れ等を払拭させる１回の使用分に対応した従来より用いられている間隔でミシン目が形成されているウェットティッシュ２を収納すること、すなわち、日常生活品や手足等の身体に付いた汚れ等を払拭させることと、哺乳瓶４の乳首部５の表面に付いた汚れ等を払拭することを兼用することに限定されず、例えば、１回の使用分が哺乳瓶４の乳首部５を覆うことができる程度の従来用いられている間隔より短い間隔でミシン目が形成されているウェットティッシュ２を収納し、哺乳瓶４の乳首部５の表面に付いた汚れ等を払拭することを専用とするものとしてもよい。
【００４２】
なお、収納容器１は、乳首挿入部６、引出口７及び蓋体８を容器本体３の上面部に設けることに限定されず、例えば、容器本体３の一側面部に設けてもよい。
【図面の簡単な説明】
【００４３】
【図１】本発明を適用した収納容器の斜視図である。
【図２】本発明を適用した収納容器の要部縦断面図である。
【図３】本発明を適用した収納容器の平面図である。
【図４】哺乳瓶の乳首部の乳頭部のみに対応させた乳首挿入部を有するときの収納容器の要部縦断面図である。
【図５】乳首挿入部に指挿入部が形成されたときの収納容器の要部縦断面図である。
【図６】乳首挿入部に指挿入部が形成されたときの収納容器の平面図である。
【符号の説明】
【００４４】
１  収納容器、２  ウェットティッシュ、３  容器本体、４  哺乳瓶、５  乳首部、６  乳首挿入部、７  引出口、８  蓋体、１５  乳首胴部、１６  乳頭部、１７胴部挿入部、１８  乳頭挿入部、２６  指挿入部
【図１】
2008074427.tif 000003
【図２】
2008074427.tif 000004
【図３】
2008074427.tif 000005
【図４】
2008074427.tif 000006
【図５】
2008074427.tif 000007
【図６】
2008074427.tif 000008